(57)【特許請求の範囲】
【請求項１】
上下多段に設けた複数の商品収納ラックと、個々の商品収納ラックにそれぞれ通じて各商品収納ラックから搬出された商品を受けるように上下多段に設けた複数の商品取出部とを本体キャビネットの内部に配置し、前記商品取出部から本体キャビネットの外部に商品を取り出す態様で各商品取出部に臨む商品取出口を開閉する小扉を設けた自動販売機において、
前記各商品収納ラックを内装する断熱構造とした商品収容庫と、
前記各商品取出部を商品収容庫外に離隔する断熱構造とした仕切壁と、
前記仕切壁に開閉可能に設けてあって各商品収納ラックから各商品取出部へ商品を搬出する搬出口部とを備え、
前記搬出口部は、各商品収納ラックと各商品取出部との間にそれぞれ配置した枠体と、当該枠体の開口を開閉する搬出扉とを有し、前記枠体を前記仕切壁に一連に開設した開口部に上下に重ねて取り付けて互いに固定してあることを特徴とする自動販売機。
【請求項２】
前記搬出口部は、搬出扉の上部に回動軸を配置して当該回動軸の周りに揺動する搬出扉によって前記枠体の開口を開閉可能に設けてあって、搬出扉によって開口が開閉される枠体の上部とその上に重ねる他の枠体の下部とに、互いに協働して当該搬出扉の回動軸を支承する支承部が設けてあることを特徴とする請求項１に記載の自動販売機。
【請求項３】
前記搬出口部は、回動軸の鉛直下位置から開放方向にずれた位置で搬出扉の下端を当接支持してあることを特徴とする請求項２に記載の自動販売機。
【請求項４】
前記搬出口部は、仕切壁の開口部に対して枠体を一側から挿入して取り付ける態様で設けてあって、上に位置する枠体がその直下の枠体に対して挿入方向に向けて当接する当接部を有していることを特徴とする請求項１〜３のいずれか一つに記載の自動販売機。
【発明の詳細な説明】
【技術分野】
【０００１】
本発明は、複数の商品収納ラックと個々のラックにそれぞれ通じた複数の商品取出部とを本体キャビネットの内部に設けて、各商品取出部から本体キャビネットの外部に商品を取り出すようにした自動販売機に関するものである。
【背景技術】
【０００２】
従来、同じ方向に傾斜して設けた複数の傾斜ラックと、各傾斜ラックの下部にそれぞれ通じた商品取出部とを有した自動販売機がある。この種の自動販売機は、前面が開口する本体キャビネットと、本体キャビネットの開口を閉塞する前面扉とを有している。本体キャビネットの内部には、商品を冷却または加温して収容する断熱構造の商品収容庫が設けてあり、当該商品収容庫内に傾斜ラックおよび商品取出部が配置してある。そして、各商品取出部には、傾斜ラックから搬送された商品の取り出しを制御する商品取出制御装置が設けてある。商品取出制御装置は、自動販売機への貨幣の投入に応じて、いずれか一つの商品取出部にある商品を取り出せるようにするものである。一方、前面扉は、断熱構造としてあり、全ての商品取出部を臨む唯一の商品取出口を有している。商品取出口は、ガラス窓を有する小扉によって開閉される。このように構成した自動販売機では、利用者が貨幣の投入後に小扉を開けて、いずれか一つの商品取出部にある商品を取り出す（例えば、特許文献１参照）。
【０００３】
【特許文献１】特開昭４８−２８３００号公報
【発明の開示】
【発明が解決しようとする課題】
【０００４】
従来の自動販売機では、各商品取出部には、常に傾斜ラックから商品が搬送されている。そして、販売に際して各商品取出部にある商品を冷却または加温するため、当該商品取出部が商品収容庫内に配置してある。すなわち、各商品取出部に臨む商品取出口に設けた小扉は、商品収容庫に通じて設けられていることになる。このため、小扉の庫外側と庫内側とで温度差が生じて小扉に結露が発生することになる。小扉に結露が発生すると当該小扉を開閉する利用者に水滴が付着する。また、結露によって小扉のガラス窓が曇るとガラス窓を通して自動販売機内部の商品が確認できなくなる。
【０００５】
なお、結露を防止する対策として、ヒータを設けたり、ガラス窓を断熱構造の多重ガラスにしたりすることが考えられるが、製造コストが嵩むことになり、特にヒータは電力消費が多く且つ商品冷却時の熱ロスが多いという問題がある。
【０００６】
本発明は、上記実情に鑑みて、複数の商品収納ラックと個々のラックにそれぞれ通じた複数の商品取出部とを本体キャビネットの内部に設けて、各商品取出部から本体キャビネットの外部に商品を取り出すようにした自動販売機において、商品取出部に臨む商品取出口に設けた小扉に対して結露が生じる事態を防ぐことができる自動販売機を提供することを目的とする。
【課題を解決するための手段】
【０００７】
上記の目的を達成するために、本発明の請求項１に係る自動販売機は、上下多段に設けた複数の商品収納ラックと、個々の商品収納ラックにそれぞれ通じて各商品収納ラックから搬出された商品を受けるように上下多段に設けた複数の商品取出部とを本体キャビネットの内部に配置し、前記商品取出部から本体キャビネットの外部に商品を取り出す態様で各商品取出部に臨む商品取出口を開閉する小扉を設けた自動販売機において、前記各商品収納ラックを内装する断熱構造とした商品収容庫と、前記各商品取出部を商品収容庫外に離隔する断熱構造とした仕切壁と、前記仕切壁に開閉可能に設けてあって商品収納ラックから商品取出部へ商品を搬出する搬出口部とを備え、前記搬出口部は、各商品収納ラックと各商品取出部との間にそれぞれ配置した枠体と、当該枠体の開口を開閉する搬出扉とを有し、前記枠体を前記仕切壁に一連に開設した開口部に上下に重ねて取り付けて互いに固定してあることを特徴とする。
【０００８】
本発明の請求項２に係る自動販売機は、上記請求項１において、前記搬出口部は、搬出扉の上部に回動軸を配置して当該回動軸の周りに揺動する搬出扉によって前記枠体の開口を開閉可能に設けてあって、搬出扉によって開口が開閉される枠体の上部とその上に重ねる他の枠体の下部とに、互いに協働して当該搬出扉の回動軸を支承する支承部が設けてあることを特徴とする。
【０００９】
本発明の請求項３に係る自動販売機は、上記請求項２において、前記搬出口部は、回動軸の鉛直下位置から開放方向にずれた位置で搬出扉の下端を当接支持してあることを特徴とする。
【００１０】
本発明の請求項４に係る自動販売機は、上記請求項１〜３のいずれか一つにおいて、前記搬出口部は、仕切壁の開口部に対して枠体を一側から挿入して取り付ける態様で設けてあって、上に位置する枠体がその直下の枠体に対して挿入方向に向けて当接する当接部を有していることを特徴とする。
【発明の効果】
【００１１】
本発明に係る自動販売機は、各商品取出部が配置してある本体キャビネットの部位が商品収容庫の内部と共に冷却・加温されることがない。この結果、商品取出部から商品を本体キャビネットの外部に取り出すための小扉に結露が発生する事態を防止することができる。これによれば、例えば結露を防ぐためにヒータを設けたり、ガラス窓を断熱構造の多重ガラスにしたりする必要がないので、製造コストを低減し、ヒータによる商品冷却時の熱ロスをなくすことができる。さらに、搬出口部は、各商品収納ラックと各商品取出部との間にそれぞれ配置した枠体と、当該枠体の開口を開閉する搬出扉とを有し、枠体を仕切壁一連に開設した開口部に上下に重ねて互いに固定してある。例えば、各商品収納ラックと各商品取出部との間にそれぞれ対応して仕切壁に開口部を開設し、各開口部に枠体をそれぞれ設ける場合では、下の枠体と上の枠体との間において、それぞれの枠体の上下位置に開口部に固定するための構成およびスペースがそれぞれ必要になる。一方、本発明に係る自動販売機では、一連に開設した開口部に対して上下に重ねた上の枠体と下の枠体とを互いに固定することで、上下の枠体の一方に互いに固定するための構成があればよく、且つ、下の枠体と上の枠体との間において開口部に固定するためのスペースが不要になる。この結果、搬出口部の製造および組み立てコストを低減し、さらに搬出口部の上下方向のスペース効率を向上することができる。
【００１２】
また、搬出口部は、搬出扉によって開口が開閉される枠体の上部とその上に重ねる他の枠体の下部とに、互いに協働して搬出扉の回動軸を支承する支承部が設けてある。この結果、上下に重ねる各枠体に独立して搬出扉の回動軸を支承する構成を設けた場合と比較して、搬出口部の上下方向のスペース効率を向上することができる。
【００１３】
また、搬出口部は、回動軸の鉛直下位置から開放方向にずれた位置で搬出扉の下端を当接支持してある。すなわち、搬出扉を平板としても重心が常に閉塞方向に偏るので閉塞状態を保つ。この結果、搬出扉の形状によって重心位置を閉塞方向に位置させる構成と比較して、搬出口部の奥行き方向（搬出扉の開閉方向）のスペース効率を向上することができる。
【００１４】
また、搬出口部は、仕切壁の開口部に対して枠体を一側から挿入して取り付けるように設けてあって、上に位置する枠体がその直下の枠体に対して挿入方向に向けて当接する当接部を有している。すなわち、上に位置する枠体によって下の枠体が開口部の一側に抜け出す事態を防止することができる。
【発明を実施するための最良の形態】
【００１５】
以下に添付図面を参照して、本発明に係る自動販売機の好適な実施の形態を詳細に説明する。なお、この実施の形態によりこの発明が限定されるものではない。
【００１６】
図１は本発明に係る自動販売機の実施の形態を示す前面図、図２は図１に示す自動販売機の内部構造を示す前面図、図３は図１に示す自動販売機の平断面図である。
【００１７】
図１〜図３に示すように自動販売機は、その外箱として本体キャビネット１および外扉２を備えている。本体キャビネット１は、複数の鋼板を適宜組み合わせることによって堅牢に構成したもので、前面に開口１ａを有した直方形状をなしている。
【００１８】
本体キャビネット１の内部には、図２および図３に示すように商品収納ラック１１が設けてある。商品収納ラック１１は、図２および図３において右側から左側に向けて下方に傾斜して配置した上面を有した、いわゆるスラントラックをなしている。すなわち、商品収納ラック１１は、その上面に載置した商品（例えば瓶入り飲料）Ｗを、傾斜に沿って図２および図３の左方に転がして詰めて収納する。この商品収納ラック１１は、上下方向に多段に配置してあり、本実施の形態では、上下８段で配置してある。
【００１９】
図３に示すように商品収納ラック１１の傾斜方向の下端部には、商品搬出機構１２が設けてある。商品搬出機構１２は、下ペダル１２１と、上ペダル１２２と、売切検出手段１２３とを有している。下ペダル１２１は、商品収納ラック１１の傾斜方向の最下位置の商品Ｗを保持するように商品収納ラック１１の上面から上方に突出した突出位置に移動する一方で、その商品Ｗの保持を解放するように商品収納ラック１１の上面から退避した退避位置に移動可能に設けてある。上ペダル１２２は、商品収納ラック１１の傾斜方向の下から２番目位置の商品Ｗを保持するように商品収納ラック１１の上面から上方に突出した突出位置に移動する一方で、その商品Ｗの保持を解放するように商品収納ラック１１の上面から退避した退避位置に移動可能に設けてある。これら下ペダル１２１と上ペダル１２２とは、突出位置と退避位置とに交互に移動するようにソレノイド（図示せず）によって連動して駆動される。すなわち、商品搬出機構１２は、自動販売機の販売指令に基づいて上記ソレノイドが駆動されることで、傾斜方向の最下位置にある商品Ｗを１つ切り出して商品収納ラック１１の傾斜方向に搬出する。また、売切検出手段１２３は、上ペダル１２２よりも傾斜方向の上側に設けてあって、商品収納ラック１１の上面から突出または退避する位置に移動可能で、常に突出するようにバネなどで付勢された検出片を有している。そして、検出片が突出位置にあることをマイクロスイッチなどのセンサ（図示せず）で検出する。すなわち、商品収納ラック１１に商品Ｗがある場合には商品Ｗの自重によって検出片が退避位置になり、一方商品収納ラック１１の商品Ｗがない場合には検出片が突出位置になって上記センサで検出される。このように構成した商品搬出機構１２は、各商品収納ラック１１に対応してそれぞれ配置してある。
【００２０】
また、本体キャビネット１の内部には、図２および図３に示すように商品取出部１３が設けてある。商品取出部１３は、商品収納ラック１１の傾斜方向の下端に通じて設けてあり、商品収納ラック１１から搬出された商品Ｗを受けて保持する上面を有した、いわゆる棚板をなしている。すなわち、商品取出部１３は、商品収納ラック１１に設けた商品搬出機構１２によって商品収納ラック１１から切り出されて搬出された商品Ｗを保持する。この商品取出部１３は、複数の商品収納ラック１１に対応して上下方向に多段に配置してあり、本実施の形態では、上下８段で配置してある。この商品取出部１３は、本体キャビネット１の後方から開口１ａに至り前方に延在して設けてあって、且つ、前側に向けて下方に傾斜して配置してある。すなわち、商品取出部１３は、商品収納ラック１１から搬出された商品Ｗを、その傾斜に沿って図３に示すごとく前方に送り出す。
【００２１】
また、本体キャビネット１の内部には、商品収容庫１４が設けてある。図２および図３に示すように商品収容庫１４は、商品収納ラック１１を内装するように上下断熱壁１４１，１４２（図２参照）、前後断熱壁１４３，１４４（図３参照）および左右断熱壁１４５，１４６（図２および図３参照）によって画成して断熱構造としてある。上断熱壁１４１は、本体キャビネット１の上板の内面に沿って配置してある。下断熱壁１４２は、本体キャビネット１の下方の位置で略水平に配置してある。前断熱壁１４３は、本体キャビネット１の前方の位置で略垂直に配置してあり、商品収容庫１４の前面開口を開閉する内扉をなしている。後断熱壁１４４は、本体キャビネット１の後板の内面に沿って配置してある。左断熱壁１４５は、商品収納ラック１１と商品取出部１３との間に介在して略垂直に配置してあり、商品取出部１３を商品収容庫１４の外に離隔する仕切壁をなしている。この左断熱壁１４５には、商品収納ラック１１から商品取出部１３へ商品Ｗを搬出するための搬出口部３が設けてある。なお、搬出口部３については後に詳述する。右断熱壁１４６は、本体キャビネット１の右側板の内面に沿って配置してある。すなわち、商品搬出機構１２を有する商品収納ラック１１は商品収容庫１４の内部に内装してあり、商品収納ラック１１から搬出された商品Ｗを受けて保持する商品取出部１３は商品収容庫１４の外部に配置してある。なお、図には明示しないが、商品収容庫１４内であって商品収納ラック１１の後側には、上下に通じるダクトが設けてある。
【００２２】
商品収容庫１４は、商品収納ラック１１に収納した商品Ｗを所望の温度に維持した状態で収容するためのものである。商品収容庫１４の底部であって商品収納ラック１１の下方域には、冷却装置を構成する蒸発器１５１および庫内ファン１５２が配設してある。また、商品収容庫１４を冷却／加温切り換え可能とする場合には、蒸発器１５１および庫内ファン１５２と共に加温装置であるヒータ（図示せず）を設ける。なお、本体キャビネット１の内部であって、下断熱壁１４２で仕切られた商品収容庫１４の下方となる位置には、機械室１７が設けてある。機械室１７には、図には明示しないが冷却装置を構成する圧縮機、凝縮器、膨張器並びに庫外ファンが配設してある。
【００２３】
上記冷却装置は、圧縮機の稼働によって蒸発器１５１から冷媒を吸引して圧縮し凝縮器に送る。凝縮器に送られた冷媒は、放熱されて液化して膨張器に至る。膨張器において冷媒は、減圧され蒸発温度および流量を制御されて蒸発器１５１に至る。蒸発器１５１に供給された冷媒は、吸熱して加熱蒸気として気化される。この冷媒の吸熱によって蒸発器１５１の周辺空気が冷却される。冷媒は、蒸発器１５１から圧縮機に吸引されて帰還して循環する。そして、庫内ファン１５２を稼働することによって蒸発器１５１の周辺の冷却された空気が商品収容庫１４の前側上方に送られて後側のダクトを経て下方に戻る。このため、商品収容庫１４の内部が冷却され、商品収納ラック１１に収納された商品Ｗが冷却される。一方、上記加温装置は、ヒータに電圧が印加されることによって当該ヒータが加熱されてその周辺空気が加温される。そして、庫内ファン１５２を稼働することによって加温された空気が上記と同様に循環するため、商品収容庫１４の内部が加温され、商品収納ラック１１に収納された商品が加温される。
【００２４】
ところで、図２に示すように商品収納ラック１１の下方の領域となる商品収容庫１４の内底には、商品収納ラック１１に補充する商品Ｗを収納する商品収納部１８が設けてある。この商品収納部１８は、商品収納ラック１１が右側から左側に傾斜するスラントラックとして構成してあるため、右側の領域において、商品Ｗを例えば略１０本程度立てて収納することが可能である。この結果、商品収納ラック１１に収納する以前の商品Ｗを商品収容庫１４内で予め冷却・加温しておくことが可能である。
【００２５】
一方、外扉２は、図３に示すように本体キャビネット１の開口１ａを覆うに十分な大きさを有したもので、鋼材により堅牢に構成してある。外扉２は、自身の一側（左側）縁部がヒンジ軸２ａを介して本体キャビネット１の一側（左側）縁部に支承して設けてある。すなわち、外扉２は、ヒンジ軸２ａを介して本体キャビネット１に対して回動可能に支承してあり、その回動によって開口１ａを開閉可能に設けてある。
【００２６】
図１に示すように外扉２の外面（前面）側には、硬貨投入口２０、紙幣挿入口２１、表示器２２、返却レバー２３、硬貨返却口２４、商品案内板２５、選択ボタン２６、商品取出口２７、電照板２８および栓抜２９が設けてある。一方、図には明示しないが外扉の内側（本体キャビネット１内側）には、硬貨処理機、硬貨回収箱、紙幣処理機、および自動販売機の各種制御を行う制御基板（図示せず）を収容したメインコントロールボックスが設けてある。
【００２７】
そして、硬貨投入口２０は、利用者が硬貨を投入するための開口である。この硬貨投入口２０を通じて投入された硬貨は、硬貨処理機においてその金種が識別され、その後、硬貨回収箱に収容されることになる。紙幣挿入口２１は、利用者が紙幣を挿入するための開口である。この紙幣挿入口２１を通じて挿入された紙幣は、紙幣処理機においてその金種が識別されることになる。また上記紙幣挿入口２１は、紙幣処理機において識別できなかった紙幣、あるいは販売中止の場合の投入紙幣を返却するための機能も有している。表示器２２は、貨幣の投入金額、販売中であるか否か、釣り銭があるか否かなど、各種情報を利用者に表示するための表示手段である。返却レバー２３は、利用者が商品Ｗの購入を中止するためのものである。この返却レバー２３が操作された場合には、投入された貨幣の返却を行う。硬貨返却口２４は、硬貨処理機において識別できなかった硬貨、あるいは釣り銭となる硬貨、または販売中止の場合の投入硬貨を利用者に返却するための開口である。商品案内板２５は、利用者に対して販売する商品Ｗを案内するためのものである。この商品案内板２５は、上述した商品取出部１３の数毎に用意してある（本実施の形態では８個）。選択ボタン２６は、利用者が購入商品を選択するための押ボタンスイッチである。この選択ボタン２６は、商品案内板２５の数毎に用意してある（本実施の形態では８個）。商品取出口２７は、利用者が商品取出部１３から商品Ｗを取り出す開口である。商品取出口２７は、上下多段に設けた全ての商品取出部１３から商品Ｗを取り出すことができるように上下方向に長手状に開設してある。この商品取出口２７には、当該商品取出口２７を開閉する小扉２７１が設けてある。小扉２７１は、その一側（左側）縁部がヒンジ２７２（図３参照）を介して外扉２に取り付けてあって、常に閉塞方向にバネなどで付勢してある。そして、小扉２７１を開放することによって商品取出口２７を介して全ての商品取出部１３から商品Ｗを取り出すことができる。また、小扉２７１は、商品取出部１３を視認するための窓ガラス２７３が設けてある。電照板２８は、広告などが貼付され、外扉２の内側に配置した照明の照明光を通して広告を利用者に視認させるためのものである。栓抜２９は、商品Ｗが瓶入り飲料である場合に、当該瓶入り飲料の栓を外すためのものである。外された栓は、外扉２の内側に配置した栓箱（図示せず）に収容される。
【００２８】
上述した自動販売機では、利用者が硬貨投入口２０から貨幣を投入、もしくは紙幣挿入口２１から紙幣を挿入し、当該貨幣の認識した金額が商品販売に必要となる金額であったときに選択ボタン２６を有効化する。利用者によって選択ボタン２６が押されると、選択ボタン２６に対応する商品Ｗを商品収容庫１４にある商品収納ラック１１から切り出す。商品収納ラック１１から切り出された商品Ｗは、商品取出部１３に搬出される。そして、利用者は、小扉２７１で商品取出口２７を開放して商品取出部１３に搬送されている商品Ｗを取り出す。
【００２９】
ここで、上述した自動販売機において、商品収容庫１４をなす左断熱壁（仕切壁）１４５に設けた搬出口部３について説明する。図４は搬出口部を示す斜視図、図５は搬出口部を示す縦断面図、図６は搬出口部を手前側（商品取出部側）から視た斜視図、図７は搬出口部の枠体を奥側（商品収納ラック側）から視た斜視図、図８は搬出口部の枠体の組み立てを示す斜視図、図９は搬出口部の組み立て状態を示す一部拡大断面図である。
【００３０】
図４および図５に示すように搬出口部３は、商品取出部１３を商品収容庫１４の外部に離隔する断熱構造とした左断熱壁（仕切壁）１４５に設けてある。搬出口部３は、枠体３１と当該枠体３１の開口を開閉する搬出扉３２とで構成してあり、枠体３１を左断熱扉１４５に開設した開口部１４５ａに取り付けてなる。ここで、左断熱扉１４５に開設した開口部１４５ａは、全ての商品収納ラック１１と全ての商品取出部１３とを通じるように上下方向に一連に開設してある。一方、搬出口部３は、各商品収納ラック１１と各商品取出部１３との間にそれぞれ配置してあって複数の枠体３１を上下に重ねて開口部１４５ａに取り付けてある。
【００３１】
図６に示すように搬出口部３の枠体３１は、互いに板面を対向して垂直に長手状に延在して設けた板状の各側板３１１と、各側板３１１の下端部の間を繋ぐように水平に長手状に延在して手前側に傾斜して設けた板状の下板３１２と、各側板３１１の上端部の間を繋ぐように水平に長手状に延在して設けた上梁３１３とで、手前側および奥側に開口する通孔３１４を有する略ロ字形状に形成してある。上梁３１３は、各側板３１１および下板３１２の幅Ｈよりも小さい幅で形成してあって、枠体３１の上方を一部開放するように図６において枠体３１の奥側位置に設けてある。また、図７に示すように枠体３１の奥側では、各側板３１１、下板３１２および上梁３１３はほぼ面一に設けてある。
【００３２】
上梁３１３には、図５〜図７に示すように上方に延在する板片状のフランジ部３１３１と、当該フランジ部３１３１の下端部から手前側に延出する第一段部３１３２と、当該第一段部３１３２の下側で手前側に延出する第二段部３１３３とが、長手方向に連続して形成してある。フランジ部３１３１には、上方に向けて略Ｕ字形状に切り欠かれた切欠３１３１ａが長手方向の中央部および両端部に設けてある。
【００３３】
各側板３１１の通孔３１４内に臨む板面には、上梁３１３の第二段部３１３３の上面に連続して手前側に延在しつつ上方に延在する面をなすように通孔３１４の内側に突設した支持凸部３１１１が形成してある。各側板３１１の通孔３１４内に臨む板面には、上梁３１３の第二段部３１３３の手前側の面に連続して手前側下方に傾斜する面をなすように通孔３１４の内側に設けた段部３１１２が形成してある。各側板３１１の通孔３１４外に臨む板面には、奥側に向けて開口する雌ネジ部３１１３が形成してある。各側板３１１の手前側の縁には、通孔３１４外の側方に延在する縁片３１１４が形成してある。各側板３１１の上端縁には、手前側に向けた端面をなすように切欠３１１５が設けてある。各側板３１１の下端縁には、奥側に向けた端面をなすように切欠３１１６が設けてある。切欠３１１５と切欠３１１６とは、他の枠体３１同士で互いに嵌合する。
【００３４】
下板３１２の通孔３１４内に臨む板面には、側板３１１の段部３１１２がなす手前側の面に連続した面をなすように通孔３１４の内側で長手方向に連続して設けた段部３１２１が形成してある。また、下板３１２の通孔３１４外に臨む板面には、下方に向けて延出する支持片３１２２が形成してある。この支持片３１２２は、各側板３１１の通孔３１４外に臨む板面よりも内側の位置に設けてあって、下板３１２の長手方向の両端部および中程に配置してある。さらに、支持片３１２２の下縁には、奥側に向けた端面をなすように切欠３１２２ａが設けてある。また、下板３１２の通孔３１４外に臨む板面には、奥側に向けて開口する雌ネジ部３１２３が形成してある。また、下板３１２の手前側の縁には、通孔３１４外の下方に延在する縁片３１２４が、各側板３１１の縁片３１１４に連続して形成してある。
【００３５】
図６に示すように搬出口部３の搬出扉３２は、扉板３２１と、回動軸３２２と、緩衝体３２３とで構成してある。扉板３２１は、枠体３１における通孔３１４の開口を閉塞する大きさを有して矩形状の平板として形成してある。回動軸３２２は、扉板３２１の回動中心となるものであって、扉板３２１の上端縁に沿って扉板３２１と一体に設けてあり、その両端が扉板３２１の両側端から延出して形成してある。緩衝体３２３は、扉板３２１の手前側の板面に取り付けてあって、ウレタンなど衝撃を吸収する材料によって形成してある。この搬出扉３２は、図５に示すように枠体３１の支持凸部３１１１および第二段部３１３３に対して回動軸３２２を載せるようにして枠体３１に回動可能に支持してある。搬出扉３２は、枠体３１に支持された状態では、扉板３２１の側端縁および下端縁が、枠体３１の段部３１１２，３１２１に当接して手前側に向けて下方に傾斜して支持され、回動軸３２２を中心として手前側に揺動して枠体３１の通孔３１４を開放するように設けてある。すなわち、搬出扉３２は、回動軸３２２の鉛直下位置から開放方向にずれた位置で扉板３２１の下端を当接支持してあるため、扉板３２１を平板としても重心が常に閉塞方向に偏るので閉塞状態を保つことが可能になる。
【００３６】
上述した搬出口部３は、図４に示すように左断熱壁（仕切壁）１４５の開口部１４５ａに同じ構成とした複数の枠体３１を上下に重ねて取り付けてある。この場合、枠体３１は、下側から順に開口部１４５ａに取り付けられる。枠体３１は、その奥側を開口部１４５ａに対して商品取出部１３側から挿入される。ここで、各縁片３１１４，３１２４が、開口部１４５ａの商品取出部１３側の縁に当接して枠体３１の挿入が規制される。そして、一番下の枠体３１は、両側の各雌ネジ部３１１３および下側の各雌ネジ部３１２３に商品収納ラック１１側からネジ（図示せず）を螺合することで開口部１４５ａの縁に固定される。これによって、一番下の枠体３１が開口部１４５ａに取り付けられる。なお、下側の雌ネジ部３１２３は、中央の雌ネジ部３１２３のみにネジを螺合してもよい。
【００３７】
次いで、一番下の枠体３１の上に他の枠体３１を順次取り付ける。上の枠体３１は、下の枠体３１と同様に左断熱壁１４５の開口部１４５ａに取り付けられる。ここでは、図５および図８に示すように上の枠体３１の切欠３１１６が下の枠体３１の切欠３１１５に当接嵌合する。また、上の枠体３１の各支持片３１２２の奥側縁が下の枠体３１のフランジ部３１３１の手前側の面に当接する。また、上の枠体３１の下側の各雌ネジ部３１２３の外周部分が下の枠体３１の切欠３１３１ａに嵌合する。このように、搬出口部３は、左断熱壁１４５の開口部１４５ａに対して枠体３１を一側（商品取出部１３側）から挿入して取り付けるように設けてあり、上の枠体３１の当接部としての切欠３１１６および支持片３１２２が、その直下の枠体３１の当接部としての切欠３１１５およびフランジ部３１３１に対して挿入方向に向けて当接する。すなわち、当接部として、切欠３１１６の切欠３１１５への当接、および支持片３１２２のフランジ部３１３１への当接によって、下の枠体３１が開口部１４５ａの商品取出部１３側に抜け出す事態を防止する。そして、上の枠体３１は、両側の各雌ネジ部３１１３に商品収納ラック１１側からネジ（図示せず）を螺合することで開口部１４５ａの縁に固定され、下側の雌ネジ部３１２３に商品収納ラック１１側からネジ（図示せず）を螺合することで下の枠体３１に固定される。この際、上下に重ねた枠体３１同士は、下の枠体３１の上側を固定するネジと、上の枠体３１の下側を固定するネジとを共用して互いに固定してある。
【００３８】
さらに、図５および図９に示すように上の枠体３１の各支持片３１２２の下縁が下の枠体３１の第一段部３１３２の上面に載り、且つ、両側の支持片３１２２の下縁が下の枠体３１の第一段部３１３２の上面から支持凸部３１１１の上方に掛かる。これにより、搬出扉３２の回動軸３２２が下の枠体３１の支持凸部３１１１および第二段部３１３３から抜け止めされて支承される。このように、搬出口部３は、扉板３２１の上部に回動軸３２２を配置し、当該回動軸３２２の周りに揺動する扉板３２１によって枠体３１の通孔３１４の開口を開閉可能に設けてあって、扉板３２１によって開口が開閉される下の枠体３１の上部に搬出扉３２の回動軸３２２を支承する支承部としての支持凸部３１１１および第二段部３１３３が設けてあり、その上に重ねる上の枠体３１の下部に搬出扉３２の回動軸３２２を抜け止めする支承部としての支持片３１２２が設けてある。このように、下の枠体３１と上の枠体３１とで互いに協働して搬出扉３２の回動軸３２２を支承している。
【００３９】
なお、複数の枠体３１を重ねて取り付ける際、一番上の枠体３１に関しては、その上に枠体３１がないため、当接部としての切欠３１１６および支持片３１２２、および支承部としての支持片３１２２の代わりに、図５に示すように左断熱壁１４５の開口部１４５ａの上縁に当接部および支承部となる固定金具１４５ｂを取り付ける。
【００４０】
上記搬出口部３は、商品の販売待機時では、図５における上側に示すように搬出扉３２で枠体３１の通孔３１４の開口を閉塞した状態にある。そして、商品の販売時では、図５における下側に示すように商品搬出機構１２によって商品収納ラック１１から切り出された商品Ｗによって搬出扉３２が開放し、その後商品Ｗが商品取出部１３に搬出される。商品Ｗが搬出された後、搬出扉３２は、枠体３１の通孔３１４の開口を閉塞する状態に戻る。なお、搬出扉３２に設けた緩衝体３２３は、開放した搬出扉３２が商品取出部１３に当接した場合の衝撃を緩衝するためのものである。
【００４１】
このように上述した自動販売機では、各商品収納ラック１１を内装する断熱構造とした商品収容庫１４と、各商品取出部１３を商品収容庫１４の外部に離隔する断熱構造とした左断熱壁（仕切壁）１４５と、左断熱壁１４５に開閉可能に設けてあって商品収納ラック１１から商品取出部１３へ商品Ｗを搬出する搬出口部３とを備えている。このため、各商品取出部１３が配置してある本体キャビネット１の部位が商品収容庫１４の内部と共に冷却・加温されることがない。この結果、商品取出部１３から商品Ｗを本体キャビネット１の外部に取り出すための小扉２７１に結露が発生する事態を防止することが可能になる。これによれば、結露を防ぐためにヒータを設けたり、ガラス窓を断熱構造の多重ガラスにしたりすることがないので、製造コストを低減し、ヒータによる商品冷却時の熱ロスをなくすことが可能になる。
【００４２】
また、上述した自動販売機では、搬出口部３は、各商品収納ラック１１と各商品取出部１３との間にそれぞれ配置した枠体３１と、当該枠体３１の開口を開閉する搬出扉３２とを有し、枠体３１を左断熱壁（仕切壁）１４５に一連に開設した開口部１４５ａに上下に重ねて互いに固定してある。ここで、図には明示しないが、例えば各商品収納ラック１１と各商品取出部１３との間にそれぞれ対応して左断熱壁１４５に開口部を開設し、各開口部に枠体をそれぞれ設ける場合では、下の枠体と上の枠体との間において、それぞれの枠体の上下位置に開口部に固定するための構成およびスペースがそれぞれ必要になる。一方、上述した自動販売機では、一連に開設した開口部１４５ａに対して上下に重ねた上の枠体３１と下の枠体３１とを互いに固定することで、上下の枠体３１の一方に互いに固定するための構成があればよく、且つ、下の枠体３１と上の枠体３１との間において開口部１４５ａに固定するためのスペースが不要になる。この結果、搬出口部３の製造および組み立てコストを低減し、さらに搬出口部３の上下方向のスペース効率を向上することが可能になる。
【００４３】
また、搬出口部３は、搬出扉３２によって開口が開閉される枠体３１の上部とその上に重ねる他の枠体３１の下部とに、互いに協働して搬出扉３２の回動軸３２２を支承する支承部が設けてある。すなわち、搬出扉３２によって開口が開閉される下の枠体３１の上部に搬出扉３２の回動軸を支承する支承部としての支持凸部３１１１および第二段部３１３３が設けてあり、その上に重ねる上の枠体３１の下部に搬出扉３２の回動軸を抜け止めする支承部としての支持片３１２２が設けてある。この結果、上下に重ねる各枠体３１に独立して搬出扉３２の回動軸３２２を支承する構成を設けた場合と比較して、搬出口部３の上下方向のスペース効率を向上することが可能になる。
【００４４】
また、搬出口部３は、回動軸３２２の鉛直下位置から開放方向にずれた位置で搬出扉３２の下端を当接支持してある。すなわち、搬出扉３２を平板としても重心が常に閉塞方向に偏るので閉塞状態を保つ。この結果、搬出扉３２の形状によって重心位置を閉塞方向に位置させる構成と比較して、搬出口部３の奥行き方向（図６に示す幅Ｈ方向であって搬出扉３２の開閉方向）のスペース効率を向上することが可能になる。
【００４５】
また、搬出口部３は、左断熱壁（仕切壁）１４５の開口部１４５ａに対して枠体３１を商品取出部１３側（一側）から挿入して取り付けるように設けてあって、上に位置する枠体３１がその直下の枠体３１に対して挿入方向に向けて当接する当接部を有している。すなわち、当接部として、切欠３１１６の切欠３１１５への当接、および支持片３１２２のフランジ部３１３１への当接によって、下の枠体３１が開口部１４５ａの商品取出部１３側に抜け出す事態を防止することが可能になる。
【図面の簡単な説明】
【００４６】
【図１】本発明に係る自動販売機の実施の形態を示す前面図である。
【図２】図１に示す自動販売機の内部構造を示す前面図である。
【図３】図１に示す自動販売機の平断面図である。
【図４】搬出口部を示す斜視図である。
【図５】搬出口部を示す縦断面図である。
【図６】搬出口部を手前側から視た斜視図である。
【図７】搬出口部の枠体を奥側から視た斜視図である。
【図８】搬出口部の枠体の組み立てを示す斜視図である。
【図９】搬出口部の組み立て状態を示す一部拡大断面図である。
【符号の説明】
【００４７】
１    本体キャビネット
１１    商品収納ラック
１２    商品搬出機構
１２１    下ペダル
１２２    上ペダル
１２３    売切検出手段
１３    商品取出部
１４    商品収容庫
１４１    上断熱壁
１４２    下断熱壁
１４３    前断熱壁
１４４    後断熱壁
１４５    左断熱扉
１４５ａ    開口部
１４５ｂ    固定金具
１４６    右断熱壁
１８    商品収納部
２    外扉
２７    商品取出口
２７１    小扉
２７２    ヒンジ
２７３    窓ガラス
３    搬出口部
３１    枠体
３１１    側板
３１１１    支持凸部
３１１２    段部
３１１３    雌ネジ部
３１１４    縁片
３１１５    切欠
３１１６    切欠
３１２    下板
３１２１    段部
３１２２    支持片
３１２２ａ    切欠
３１２３    雌ネジ部
３１２４    縁片
３１３    上梁
３１３１    フランジ部
３１３１ａ    切欠
３１３２    第一段部
３１３３    第二段部
３１４    通孔
３２    搬出扉
３２１    扉板
３２２    回動軸
３２３    緩衝体
Ｗ    商品
【図１】
0004654956.tif 000002
【図２】
0004654956.tif 000003
【図３】
0004654956.tif 000004
【図４】
0004654956.tif 000005
【図５】
0004654956.tif 000006
【図６】
0004654956.tif 000007
【図７】
0004654956.tif 000008
【図８】
0004654956.tif 000009
【図９】
0004654956.tif 000010